(57)【特許請求の範囲】
【請求項１】
電子鍵盤楽器にて作成した楽音にネーミングする際に使用する文字データ入力装置において、
当該電子楽器に複数搭載される既存の連続可変コントローラを文字データ入力モードに変更するモード変更手段と、
全体の文字データを記憶すると共に、当該文字データを複数の群に分割して前記各連続可変コントローラに割り当てる文字データ記憶手段と、
割り当てられた文字データ群の中から、連続可変コントローラ操作により指定された文字を選択する文字データ選択手段と、
前記選択された文字データを表示する文字データ表示手段と、
表示された文字データを記憶して保存する入力文字保存手段と、
を有することを特徴とする電子楽器における文字データ入力装置。
【発明の詳細な説明】
【０００１】
【発明の属する技術分野】
本発明は、電子楽器にて作成した楽音にネーミングする際に使用する文字データ入力装置に関する。
【０００２】
【従来の技術】
例えば、シンセサイザ等の電子楽器では、演奏内容に応じて奏者が独自の楽音を作成してメモリに記憶させ、記憶した楽音を演奏中に適宜再生させる機能を有するものが多く使用されている。これにより、ライブやコンサート等において、予め作成した楽音を所望のタイミングで出力させることができる。また、楽音を作成した場合には、作成されたものに対してネーミングする必要があるので、このような電子楽器には文字データ入力装置が搭載されている。これは、例えばワープロで作成した文書データにファイル名を付加する操作とほぼ同様であり、図４に示すように、アルファベット（大文字、小文字）、アラビア数字、ハイフン、句読点等の記号を使用することができる。
【０００３】
従来における文字データ入力装置では、スライダー等の連続可変コントローラのつまみを調整することにより、連続的にディスプレイ表示が切り替わるようになっており、一般的な方法としては「ＡＢＣ・・ａｂｃ・・１２３・・！″＃＄・・・」とう順序で変化する。ここで、スライダーのつまみの移動幅には制約があるので、この移動間隔に文字全体を割り当てると、つまみを少し移動させただけで表示される文字、記号が大きく変化してしまう。従って、微調整が困難であるから、通常は、アップボタン、ダウンボタンを備え、これらのボタンは１回押す毎に文字が１つアップ、またはダウンするので、この機能を利用して微調整を行っている。
【０００４】
ところが、このような従来における文字データ入力装置においては、移動量が大きいスライド式のつまみと、１ステップづつの切り換えに使用するアップボタン、ダウンボタンのみによりディスプレイ表示される文字を変化させているので、文字データの入力が面倒である。例えば、文字「Ｄ」を入力した後、数字「５」を入力する際には、「Ｄ」を入力した後１ステップづつ表示文字を変化させる操作では面倒であるので、スライダーを調整してある程度移動させる必要があるが、実際には、つまみの操作で数字「５」の近傍に調整することは細かい作業であり、煩わしいという欠点がある。そして、通常、入力するネーミングに使用する文字数は１０〜１５程度であるので、このような操作を繰り返しながら文字データを入力することは非常に面倒である。
【０００５】
【発明が解決しようとする課題】
上記したように、従来における文字データ入力装置においては、スライド式のつまみ、及び１ステップづつ変化するアップボタン、及びダウンボタンを使用しているので、入力操作を思うように行うことができず、ネーミングするための文字入力に多くの労力を要してしまうという問題が発生していた。
【０００６】
この発明はこのような従来の課題を解決するためになされたものであり、その目的とするところは、所定の楽音に対して付加する文字データを容易に選択して入力することのできる文字データ入力装置を提供することにある。
【０００７】
【課題を解決するための手段】
上記目的を達成するため、本発明は、電子鍵盤楽器にて作成した楽音にネーミングする際に使用する文字データ入力装置において、当該電子楽器に複数搭載される既存の連続可変コントローラを文字データ入力モードに変更するモード変更手段と、全体の文字データを記憶すると共に、当該文字データを複数の群に分割して前記各連続可変コントローラに割り当てる文字データ記憶手段と、割り当てられた文字データ群の中から、連続可変コントローラ操作により指定された文字を選択する文字データ選択手段と、前記選択された文字データを表示する文字データ表示手段と、表示された文字データを記憶して保存する入力文字保存手段と、を有することが特徴である。
【０００８】
上述の如く構成された本発明によれば、まず、モード変更手段により文字データ入力モードに設定し、その後、各連続可変コントローラを調整することにより、表示手段に表示される文字データが順次切り換えられる。例えば、文字データのうち「大文字」が割り当てられた連続可変コントローラ（スライダー）を調整すると、表示手段にて「Ａ、Ｂ、Ｃ、・・・」という具合に順次変化しながら表示される。そして、所望の文字が表示された所で停止させればこの文字を選択することができる。同様に、「小文字」、「記号」、「数字」については、それぞれが割り当てられたスライダーを調整することにより選択して表示させることができ、これを繰り返すことにより、簡単な操作で文字データを入力してネーミングすることができるようになる。
【０００９】
【発明の実施の形態】
以下、本発明の実施形態を図面に基づいて説明する。図１は本発明に係る文字データ入力装置が適用される電子鍵盤楽器の構成を示す説明図であり、図示のように、この電子鍵盤楽器の鍵盤１の後方にはディスプレイ２が配置されている。また、このディスプレイ２の側部近傍には、４個のスライダー３ａ〜３ｄが設置されており、各スライダー３ａ〜３ｄには、それぞれ「ピッチ」、「ビブラート」、「レベル」、「カットオフ」が割り当てられている。また、ディスプレイ２の側部にはモード切換スイッチ５が設置されている。
【００１０】
図２は、本発明の一実施形態に係る文字データ入力装置のハードウェア構成図であり、図示のように、スライダー３ａ〜３ｄの出力は、モード切換スイッチ５を介して文字データ記憶部６に接続され、スライダー３ａに対して「大文字」、スライダー３ｂに対して「小文字」、スライダー３ｃに対し定「数字」及びスライダー３ｄに対して「記号」がそれぞれ割り当てられている。また、文字データ記憶部６の出力側は文字選択部７に接続され、該文字選択部７には入力部８、ディスプレイ２、及び入力文字記憶部９がそれぞれ接続されている。
【００１１】
文字選択部７は、スライダー３ａ〜３ｄにより指定された文字を文字データ記憶部６から読み出し、入力部８によりカーソルが設定されるカラムに文字データを書き込んでネーミングする文字を作成し、ディスプレイ２に表示するものである。また、最終的に作成された入力文字を、入力文字記憶部９に格納する。
【００１２】
次に、上記の如く構成された本実施形態の動作を図３に示すフローチャートを参照しながら説明する。例えば、演奏者が独自の楽音を作成し、この楽音にネーミングする場合には、まず、図１に示すモード切換スイッチ５を操作することにより、４個のスライダー３ａ〜３ｄを文字データ入力モードに切り換える。これにより、図２に示したように、スライダー３ａに対して「大文字」、スライダー３ｂに対して「小文字」、スライダー３ｃに対して「数字」及びスライダー３ｄに対して「記号」がそれぞれ割り当てられられることになる。
【００１３】
ディスプレイ２には、初期設定されている文字が書き込まれており（ステップＳＴ１）、この文字を書き換える場合には（ステップＳＴ２でＮＯ）、入力部８の操作によりディスプレイ上のカーソルを所望の書き込み位置に移動させ（ステップＳＴ３）、入力したい文字が割り当てられているスライダー３（３ａ〜３ｄ）を操作する（ステップＳＴ４〜ＳＴ７）。例えば、「＃」、「！」等の記号を入力したい場合にはスライダー３ｄを操作することにより（ステップＳＴ４でＹＥＳ）、スライダー値を記号に変換して（ステップＳＴ８）選択された文字（記号）をディスプレイ２に表示する（ステップＳＴ１２）。
【００１４】
また、数字を入力したい場合には（ステップＳＴ４でＮＯ）、スライダー３ｃを操作することにより（ステップＳＴ５でＹＥＳ）、スライダー値を数字に変換して（ステップＳＴ９）選択された文字（数字）をディスプレイ２上に表示する（ステップＳＴ１２）。同様に、大文字を入力したい場合には（ステップＳＴ５でＮＯ）、スライダー３ａを操作することにより（ステップＳＴ６でＹＥＳ）、スライダー値をアルファベットの大文字に変換して（ステップＳＴ１０）選択された文字（大文字）を表示する（ステップＳＴ１２）。
【００１５】
更に、アルファベットの小文字を入力したい場合には（ステップＳＴ６でＮＯ）スライダー３ｂを操作することにより（ステップＳＴ７でＹＥＳ）、スライダー値を小文字に変換して（ステップＳＴ１１）選択された文字（小文字）を表示する（ステップＳＴ１２）。こうして、４つのスライダー操作を実行することにより所望の文字を入力し、ネーミングを行うことができ、全ての文字を入力してネーミングの作業が終了すると（ステップＳＴ２でＹＥＳ）、文字入力を終了する。
【００１６】
このようにして、本実施形態においては、ネーミングに使用する文字を「大文字」、「小文字」、「数字」、「記号」にそれぞれ分割し、分割した４つの文字群を４つのスライダー３ａ〜３ｄに割り当て、各スライダー３ａ〜３ｄを操作することにより、所望の文字を選択するようにしている。そして、図４に示したように、大文字及び小文字はそれぞれ２６種類、数字は１０種類、記号は３４種類であるので、スライダー３ａ〜３ｄの移動量に対する文字表示の変化の割合が小さくなり、容易に所望の文字を選択することができるので操作性が著しく向上する。更に、アップ、ダウン用のスイッチを併用することにより、１ステップづつ変化させることもできるようになり、より一層操作性を向上させることができるようになる。
【００１７】
なお、上記した実施形態では、文字全体を「大文字」、「小文字」、「数字」、「記号」の４つに分類し、これらを４個のスライダー３ａ〜３ｄに割り当てる例について説明したが、本発明はこれに限定されるものでは無く、２分割、３分割でも良いし、また、５分割以上としても良い。文字群の分割数は使用者の文字使用頻度等により適宜設定し得るものである。また、この実施形態では、連続可変コントローラとしてスライダーを例に説明したが、本発明はこれに限定されるものでは無く、回転式のつまみ等、連続的に出力レベルを調整可能なものであればこれらに文字データを割り当てることにより、上記と同様の効果を得ることができる。
【００１８】
【発明の効果】
以上説明したように、本発明の文字データ入力装置によれば、ピッチやビブラート等の設定に使用させる複数のスライダー（連続可変コントローラ）に、大文字、小文字、数字、記号等の文字群を割り当て、このスライダーを調整することにより、所望の文字を選択してネーミングを行っている。従って、従来のように、一つのスライドダーに全ての文字が割り当てられる方式とは異なり、入力したい文字を簡単な操作で容易に表示させることができ、文字データ入力の作業を著しく軽減することができるという効果が得られる。
【図面の簡単な説明】
【図１】本発明の文字データ入力装置が適用される電子鍵盤楽器の構成を示す説明図。
【図２】本発明に係る文字データ入力装置の、一実施形態の構成を示す機能ブロック図。
【図３】本実施形態の動作手順を示すフローチャート。
【図４】具体的な文字データを示す説明図。
【符号の説明】
１  鍵盤
２  ディスプレイ
３（３ａ〜３ｄ）  スライダー（連続可変コントローラ）
５  モード切換スイッチ（モード変更手段）
６  文字データ記憶部
７  文字選択部
８  入力部
９  入力文字記憶部
【図１】
0003717640.tif 000002
【図２】
0003717640.tif 000003
【図３】
0003717640.tif 000004
【図４】
0003717640.tif 000005